(57)【要約】  【課題】比較的簡単且つ安価な構成で、本体の設計自由度を維持し且つその前面に設けられたパネルを本体から上下方向へスライドすると共に必要に応じて着脱可能にする車載用電子機器を提供する。  【解決手段】本体２０の前面に設けられたパネル４０内にモータ４７および左右１対のギアアーム４６ａ−４６ｂを含む上下スライド機構を設ける。このスライド機構により、パネル４０を上又は下方向へスライドさせて、本体２０の内部に実装されるＣＤやＭＤ等のメディア５０やハードディスク装置（ＨＤＤ）等の装置を適宜挿排又は交換可能にする。また、パネル４０は、盗難防止その他の目的で、本体２０から必要に応じて取り外すことが可能である。【選択図】図３
2006347216.tif 000002
【特許請求の範囲】
【請求項１】
本体の前面にスライド可能なパネルを含み、前記本体内部に記憶媒体（メディア）等を選択的に実装する車載用電子機器において、
前記パネルを上下方向に電動スライドさせるパネルスライド機構が前記パネル内部に設けられたことを特徴とする車載用電子機器。
【請求項２】
前記パネルスライド機構は、モータおよび軸支された1対のギアアームを含むことを特徴とする請求項１に記載の車載用電子機器。
【請求項３】
前記パネルおよび前記本体の対向面には、前記パネルを円滑にスライドさせるガイドが設けられていることを特徴とする請求項１又は２に記載の車載用電子機器。
【請求項４】
前記パネルの両端部には、該パネルを前記本体から着脱する脱着レバーが設けられていることを特徴とする請求項１、２又は３に記載の車載用電子機器。
【請求項５】
前記本体には、前後に移動可能な移動枠が設けられ、該移動枠に前記パネルが着脱可能に取り付けられることを特徴とする請求項１乃至４の何れかに記載の車載用電子機器。
【請求項６】
交換可能な記録媒体が挿排される本体および該本体の前面にスライド且つ着脱可能に取り付けられるパネルを含み、前記記録媒体の挿排時に前記パネルをスライドおよび着脱可能にする車載用電子機器において、
前記本体の前面に引き出し位置又は押し込み位置に何れかに選択的に移動される移動枠、および
前記パネルを、前記移動枠の前面に前記移動枠の移動方向に対して直角方向にスライドさせるパネルスライド機構を備え、
該パネルスライド機構は、前記パネル内に設けられたモータおよび該モータにより駆動される１対のギアアームを含むことを特徴とする車載用電子機器。
【請求項７】
前記パネル内には、該パネルの上下限界位置を検出する検出スイッチが更に設けられていることを特徴とする請求項６に記載の車載用電子機器。
【請求項８】
前記パネルには、該パネルが中央位置にあるとき前記パネルを前記移動枠に対して着脱する脱着レバーを更に備えることを特徴とする請求項６又は７に記載の車載用電子機器。
【発明の詳細な説明】
【技術分野】
【０００１】
本発明は車載用電子機器に関し、特に記録媒体（メディア）を選択的に実装する本体の前面に配置されるパネルをスライドおよび着脱するパネルスライドおよび着脱装置を含む車載用電子機器に関する。
【背景技術】
【０００２】
多くの車両には、種々の車載用電子機器が用意され、この車両を運転する運転者の便宜に供している。一般的な車載用電子機器は、例えば音楽の再生、ラジオやテレビジョン（ＴＶ）放送を受信又は受像するＡＶ（オーディオビジュアル）機器および車両の現在位置や道路情報等を表示するカーナビゲーション装置（カーナビ）等である。
【０００３】
斯かる車載用電子機器にあっては、音楽データや道路地図データを記録したＣＤ（コンパクトディスク）やＭＤ（ミニディスク）等の複数の記録媒体（メディア）を選択的に実装して、ユーザ（例えば、車両の運転者）が希望する音楽等の再生や地図（又は道路）情報の表示を行うのが一般的である。また、本体内に搭載されるハードディスク装置（ＨＤＤ）等の記憶媒体を交換したい場合もある。
【０００４】
また、斯かる車載用電子機器は、前面に種々の選択制御する操作部と共に液晶表示パネル（ＬＣＤ）等の表示装置が設けられている。この表示パネルには、車載用電子機器がＡＶ機器である場合には、例えば受信中の放送の種別（例えば、ＡＭ、ＦＭ）、放送局の局名や周波数、ＣＤのトラック番号、曲名、周波数スペクトラムその他多くの文字および図形情報が表示される。また、カーナビの場合には、車両の現在位置を示す広い範囲の地図およびその一部分を拡大した詳細道路地図等の多くの情報が表示される。そのため、表示パネルはより多くの情報を表示するため益々大型化している。
【０００５】
そのために、車載用電子機器にあっては、本体の前面に配置されるフロントパネルには、ＬＣＤ等の表示パネルを設け、本体内部に異なるサイズの記録媒体が挿排可能に構成されている。本体内部への記録媒体等の挿入又は排出する挿排機構は、従来パネルをリンク等により保持することにより行うのが一般的であった。また、本体の内部に１対の歯車つき位置決めアームを有する従来のディスク再生装置が開示されている（例えば、特許文献１参照。）。更に、固定された表示器の表示画像をモータにより回転可能な表示板に投射して表示する車載用表示装置が開示されている（例えば、特許文献２参照。）。
【０００６】
【特許文献１】特開２００３−１５１１９４号公報（第２−３頁、第１図）
【特許文献２】特開平５−５０８７２号公報（第２−３頁、第１図）
【発明の開示】
【発明が解決しようとする課題】
【０００７】
車載用電子機器、特にそのパネルスライド機構の従来技術は、多くの構成部品が必要であるので、構成が複雑であり、高価であり且つ小型化が困難であるという課題を有する。また、このパネルスライド機構により本体内部が制限され設計の自由度が抑えられるという課題を有する。
【０００８】
本発明は、従来技術の上述した課題に鑑みなされたものであり、斯かる課題を解消又は軽減する車載用電子機器を提供することを主たる目的とする。
【課題を解決するための手段】
【０００９】
本発明による車載用電子機器は、次に列挙するような特徴的な構成を採用している。
【００１０】
（１）本体の前面にスライド可能なパネルを含み、前記本体内部に記憶媒体（メディア）等を選択的に実装する車載用電子機器において、
前記パネルを上下方向に電動スライドさせるパネルスライド機構が前記パネル内部に設けられた車載用電子機器。
（２）前記パネルスライド機構は、モータおよび軸支された1対のギアアームを含む上記（１）の車載用電子機器。
（３）前記パネルおよび前記本体の対向面には、前記パネルを円滑にスライドさせるガイドが設けられている上記（１）又は（２）の車載用電子機器。
（４）前記パネルの両端部には、該パネルを前記本体から着脱する脱着レバーが設けられている上記（１）、（２）又は（３）の車載用電子機器。
（５）前記本体には、前後に移動可能な移動枠が設けられ、該移動枠に前記パネルが着脱可能に取り付けられる上記（１）乃至（４）の何れかの車載用電子機器。
（６）交換可能な記録媒体が挿排される本体および該本体の前面にスライド且つ着脱可能に取り付けられるパネルを含み、前記記録媒体の挿排時に前記パネルをスライドおよび着脱可能にする車載用電子機器において、
前記本体の前面に引き出し位置又は押し込み位置に何れかに選択的に移動される移動枠、および
前記パネルを、前記移動枠の前面に前記移動枠の移動方向に対して直角方向にスライドさせるパネルスライド機構を備え、
該パネルスライド機構は、前記パネル内に設けられたモータおよび該モータにより駆動される１対のギアアームを含む車載用電子機器。
（７）前記パネル内には、該パネルの上下限界位置を検出する検出スイッチが更に設けられている上記（６）の車載用電子機器。
（８）前記パネルには、該パネルが中央位置にあるとき前記パネルを前記移動枠に対して着脱する脱着レバーを更に備える上記（６）又は（７）の車載用電子機器。
【発明の効果】
【００１１】
本発明の車載用電子機器によると、次の如き実用上の顕著な効果が得られる。即ち、パネルのスライド機構をパネルに内蔵させているので、本体に十分なスペースを得ると共にその設計自由度を確保することが可能である。また、モータの回転方向を変えるのみで、パネルを上又は下方向へスライド可能である。更に、パネルは、予め決められた上下位置へ円滑にスライド可能であるのみならず、所定（中央）位置にあるときのみに着脱可能である。
【発明を実施するための最良の形態】
【００１２】
以下、本発明による車載用電子機器の好適実施例の構成および動作を、添付図面を参照して詳細に説明する。
【００１３】
先ず、図１は、本発明による車載用電子機器の好適実施例の全体構成を示す斜視図である。この車載用電子機器１０は、略直方体状の本体２０およびこの本体２０の前面に着脱可能且つ上下スライド可能に取り付けられたパネル４０により構成される。図１は、パネル４０が本体２０の所定位置に取り付けられ、車載用電子機器１０の使用状態を示している。
【００１４】
本体２０の内部には、記録媒体実装部、記録媒体駆動部、電源部および各種エレクトロニクス回路部が含まれているが、これらは本発明の要旨に直接関係ないので省略している。パネル４０には、左右両側に設けられた脱着レバー４１ａ−４１ｂ、パネルスイッチ（ＳＷ）４２、ノブ４３およびＬＣＤパネル等の表示装置（図示せず）が設けられている。詳細は後述する如く、パネルスイッチ４２は、ユーザの選択により、パネル４０のスライド方向（上又は下）を選択する。ノブ４３はユーザが押圧操作することにより、パネル４０を前方向へ突出させて、スライドを可能状態にする。
【００１５】
次に、図２は、図１に示す車載用電子機器１０のパネル４０を本体２０から取り外し、その裏面を上側に向けて倒している状態を示す分解斜視図である。本体２０の前面部には、本体２０に対して前後方向に移動する移動枠３０が設けられている。この移動枠３０は、断面が略Ｕ（又はコ）字状のフレーム３１により構成されている。このフレーム３１の前面には左右両端部の近傍に１対の連結スタッド３２ａ−３２ｂ、中央部に隆起して縦方向へ延びるセンタガイド３３および複数の電気接点３４が形成されている。また、フレーム３１の側部（又はスライダ）には、前後方向に延びるスロット（長孔）３５、上縁に切り欠き３６、下縁にカム面３７および後下端に引っ掛け部３８が形成されている。
【００１６】
また、本体２０の側部には、軸支されたロックレバー２１、このロックレバー２１の前下端に形成されたロック用爪２２、ロックレバー２１の後端をバイアスするコイルばね２３、フレーム３１に形成されたスロット３５に挿入される１対のポスト２６およびパネル突出検出スイッチ２５が形成されている。
【００１７】
一方、パネル４０には、上述した左右両端に形成された脱着レバー４１ａ−４１ｂに加えて、中央部に縦方向へ延びる案内溝４４および複数の電気接点４５が形成されている。脱着レバー４１には、鍵状孔が形成され、フレーム３１に形成された連結スタッド３２ａ−３２ｂが挿通され、これによりパネル４０が移動枠３０を介して本体２０の前面に取り付けられる。
【００１８】
次に、図３（Ａ）〜（Ｃ）を参照して、図１および図２に示す本発明による車載用電子機器１０の全体動作の概要を説明する。これらの図３（Ａ）〜（Ｃ）は、車載用電子機器１０の各状態における右側面図である。
【００１９】
図３（Ａ）は、使用状態にある車載用電子機器１０のパネル４０上のノブ４３をユーザが押圧操作する状態を示す。尚、ユーザがノブ４３を押圧操作する前には、ロックレバー２１はばね２３によりバイアスされ、そのロック用爪２２がスライダの切り欠き部３６に嵌り、移動枠３０を押込状態に保持している。この状態では、パネル突出検出スイッチ２５の接点は、駆動されない。
【００２０】
次に、ユーザがノブ４３を押圧操作すると、図３（Ｂ）に示す如く、ロックレバー２１が右（時計方向）回転され、そのロック用爪２２がスライダの略Ｖ字状切り欠き部３６から離れる（即ち、本体２０と移動枠３０およびパネル４０のロックが解除される）。そこで、ばね２４の弾性により移動枠３０およびパネル４０を矢印Ｐで示す如く、本体２０から前方へ移動又は突出させる。この際にパネル突出スイッチ２５は、カム面３７を通過するので、接点がスイッチ駆動され、移動枠３０およびパネル４０が前方に突出したことを検出する。尚、スライダに形成されたスロット３５および本体２０の側面に設けられたポスト２６は、移動枠３０およびパネル４０を本体２０から所定寸法だけ円滑に突出させるガイドとして作用する。２個のポスト２６は、１個の横長の突条に代えてもよい。
【００２１】
次に、パネル突出検出スイッチ２５が作動（オン）すると、後述の如くパネル内部に設けられたモータがイネーブル（動作可能状態）される。そこで、図３（Ｃ）に示す如く、ユーザがパネルスイッチ４２を操作することにより、パネル４０を本体２０に対して上下方向へスライドさせる。例えば、パネル４０を上方向へスライドさせると、ユーザは、メディア（記録媒体であるＣＤ等）５０にアクセス可能であり、これを脱着できる。一方、パネル４０を下方向へスライドさせると、ユーザは機器（例えば、ＨＤＤ）５２にアクセスして、この機器５２を交換することが可能である。
【００２２】
尚、図２において、移動枠３０のフレーム３１の前面中央部に形成された縦長の突条であるセンターガイド３３は、パネル４０の裏面に形成された縦長の案内溝４４に嵌り、パネル４０の円滑な上下移動を可能にする。案内溝４４の上下端部近傍には、限界スイッチＳＷ−ＵおよびＳＷ−Ｌが設けられ、パネル４０が上下の限界位置までスライドされると、モータの回転を停止させる。一方、本体２０側の電気接点３４とパネル４０の裏面に形成された接点４５は、本体２０およびパネル４０間の電気的接続を行う。特に、パネル４０内部のモータに電源を供給すると共にＬＣＤ等の表示パネルに表示信号を供給する。
【００２３】
また、パネル４０が前方向に突出している状態では、ユーザが脱着レバー４１ａ−４１ｂを左右に引っ張る（ＰＵＬＬ）ことにより、連結スタッド３２ａ−３２ｂが脱着レバー４１ａ−４１ｂの鍵穴状スロットの大径部と一致する。そこで、ユーザは、必要に応じてパネル４０を本体２０から脱着（取り付けおよび取り外し）可能である。
【００２４】
次に、図４および図５を参照して、パネル４０の上下スライド機構について詳細に説明する。図４は、パネル４０の内部、特にパネルスライド機構の構成を示す図である。一方、図５は、パネル脱着機構の構成を示す図であり、（Ａ）は側断面図を示し、（Ｂ）は平面図を示す。
【００２５】
先ず、図４を参照して説明する。パネルスライド機構は、１対のギアアーム４６ａー４６ｂ、モータ４７およびギア４８を含んでいる。ギアアーム４６ａ−４６ｂは、例えば略扇形の薄い金属板により形成され、パネル４０の中央部において相互に歯車が噛み合わされていると共に回転支点でパネル４０に固定されている。モータ４７は、ギア４８を介して一方のギアアーム４６ｂと噛み合わされている。
【００２６】
図５（Ａ）および（Ｂ）に示す如く、ギアアーム４６ｂの外端部には、ばね４９を介して脱着レバー４１ｂが取り付けられている。この脱着レバー４１ｂは、ばね４９の弾性により通常状態では内方へバイアスされている。また、ギアアーム４６ｂには、脱着レバー４１ｂに形成された鍵孔と同様の孔が形成され、連結スタッド３２ｂが挿通される。尚、左側の脱着レバー４１ａおよびギアアーム４６ａについても、上述した右側と同様構成である。
【００２７】
図４に示す如く、モータ４７が回転して右ギアアーム４６ｂが回転支点を中心に右、即ち時計方向に回転すると、この右ギアアーム４６ｂと噛み合っている左ギアアーム４６ａは、その回転支点を中心に左、即ち反時計方向に回転する。しかし、これらギアアーム４６ａ−４６ｂの基部近傍の孔には、それぞれ本体２０の連結スタッド３２ａ−３２ｂが挿通されているので、パネル４０は上方向へスライドされる。他方、モータが逆回転して、ギアアーム４６ａ−４６ｂがそれぞれ右回転および左回転すると、上述とは逆に、パネル４０は下方向へスライドされる。このように、パネル４０が上下にスライドされた状態における脱着レバー４１ａ−４１ｂの位置は、図４中に破線で示されている。
【００２８】
図４から明らかな如く、パネル４０が上下スライドされている状態では、脱着レバー４１ａ−４１ｂは、パネル４０内に隠れているので、ユーザがこれらの脱着レバー４１ａ−４１ｂにアクセス又は操作不可能である。換言すると、ユーザは、パネル４０が中央位置にある場合にのみ、脱着信レバー４１ａ−４１ｂにアクセスして、パネル４０の取り外しが可能である。即ち、この状態では、連結スタッド３２ａ−３２ｂは、ギアアーム４６および脱着レバー４１の鍵状孔の大径部と一致しているので、パネル４０を本体２０から取り外し可能である。図４に示す如く、パネル４０が中央（又は脱着）位置にあることを検出するスイッチＳＷ−Ｃをギアアーム４６ｂに設けてもよい。
【００２９】
以上、本発明による車載用電子機器の好適実施例の構成および動作を詳述した。しかし、斯かる実施例は、本発明の単なる例示に過ぎず、何ら本発明を限定するものではないことに留意されたい。本発明の要旨および精神を逸脱することなく、特定用途に応じて種々の変形変更が可能であること、当業者には容易に理解できよう。
【図面の簡単な説明】
【００３０】
【図１】本発明による車載用電子機器の好適実施例の全体構成を示す斜視図である。
【図２】図１に示す車載用電子機器のパネルを取り外した状態を示す部分分解斜視図である。
【図３】図１に示す車載用電子機器の動作を説明する側面図であり、（Ａ）は通常状態（ノブ押圧操作前）、（Ｂ）はノブの押圧操作後および（Ｃ）はパネル上下スライド状態を示す。
【図４】パネルの内部構成を示す平面図である。
【図５】図４中の脱着レバーを含む一部分の詳細図であり、（Ａ）は側面図、（Ｂ）は平面図である。
【符号の説明】
【００３１】
１０    車載用電子機器
２０    本体
３０    移動枠
３１    フレーム
３２    連結スタッド
３３    センターガイド
４０    パネル
４１    脱着レバー
４２    パネルスイッチ
４３    ノブ
４４    案内溝
４６    ギアアーム
４７    モータ
ＳＷ−Ｕ、ＳＷ−Ｌ  検出スイッチ
【図１】
2006347216.tif 000003
【図２】
2006347216.tif 000004
【図３】
2006347216.tif 000005
【図４】
2006347216.tif 000006
【図５】
2006347216.tif 000007